(57)【特許請求の範囲】
【請求項１】
移動自在な台車と、
この台車の可搬式消防ポンプ収納部に収納された可搬式消防ポンプと、
前記台車に設けられ、前記可搬式消防ポンプ収納部の真上に位置し、ホ−スを収納するホ−ス収納部と、
前記台車に設けられ、前記可搬式消防ポンプ収納部及び前記ホ−ス収納部より側方に位置し、略楕円形状に旋回された吸水管を縦長状に収納する吸水管収納部と、
前記ホ−ス収納部は、前記台車の前方に位置する第１の脚部、前記台車の前方に位置する第２の脚部、前記台車の後方に位置する第３の脚部で前記台車に支持され、
前記可搬式消防ポンプの前記ホ−スに接続されるホ−ス接続口、前記可搬式消防ポンプの前記吸水管に接続される吸水管接続口は、前記台車の背面側にあり、
前記ホ−ス接続口は、少なくとも９０°回動可能なものであり、
前記台車を後方より見て、水平方向に、前記吸水管収納部、前記ホ−ス接続口、前記吸水管接続口、前記第３の脚部の順で、それらが配置されている
ことを特徴とする消防機器運搬台車。
【請求項２】
移動自在な台車と、
この台車の可搬式消防ポンプ収納部に収納された可搬式消防ポンプと、
前記台車に設けられ、前記可搬式消防ポンプ収納部の真上に位置し、ホ−スを収納するホ−ス収納部と、
前記台車に設けられ、前記可搬式消防ポンプ収納部及び前記ホ−ス収納部より側方に位置し、略楕円形状に旋回された吸水管を縦長状に収納する吸水管収納部と、
前記ホ−ス収納部は、前記台車の前方に位置する第１の脚部、前記台車の前方に位置する第２の脚部、前記台車の後方に位置する第３の脚部で前記台車に支持され、
前記可搬式消防ポンプの前記ホ−スに接続されるホ−ス接続口、前記可搬式消防ポンプの前記吸水管に接続される吸水管接続口は、前記台車の背面側にあり、
前記ホ−ス接続口は、少なくとも９０°回動可能なものであり、
前記台車を後方より見て、水平方向に、前記吸水管収納部、前記ホ−ス接続口、前記吸水管接続口、前記第３の脚部の順で、それらが配置され、
前記台車の車の上方に前記吸水管収納部が位置し、前記吸水管収納部に収納された前記吸水管が前記車に接触しないように、前記車の上方に前記吸水管と前記車が当接するのを防止する接触防止部材を設ける
ことを特徴とする消防機器運搬台車。
【発明の詳細な説明】
【０００１】
本発明は、消防機器運搬台車に係り、特に、倉庫内に効率良く収納することができる消防機器運搬台車に関する。
【０００２】
【従来の技術】
消防機器運搬台車、例えば、実公昭５８−１６７７８号公報に記載されているように、移動自在な台車に、可搬式消防ポンプ、ホ−スを収納すると共に、これら可搬式消防ポンプ、ホ−スの上に、略楕円形状に旋回された吸水管を水平状態で収納している。
【発明が解決しようとする課題】
しかしながら、上述の消防機器運搬台車を倉庫（例えば、自主防災倉庫）内に収納すると、略楕円形状に旋回された吸水管が水平状態で消防機器運搬台車に収納されるため、平面的な収納スペ−スを大きく取り、他の防災機器（例えば、発電機、浄水器等）との関係上、倉庫内を効率良く活用することができないという問題点があった。
本発明は、上述した問題点を除去するようにした消防機器運搬台車を提供するものである。
【０００３】
【課題を解決するための手段】
上記目的を達成するために、請求項１記載の消防機器運搬台車は、移動自在な台車と、この台車の可搬式消防ポンプ収納部に収納された可搬式消防ポンプと、前記台車に設けられ、前記可搬式消防ポンプ収納部の真上に位置し、ホ−スを収納するホ−ス収納部と、前記台車に設けられ、前記可搬式消防ポンプ収納部及び前記ホ−ス収納部より側方に位置し、略楕円形状に旋回された吸水管を縦長状に収納する吸水管収納部と、前記ホ−ス収納部は、前記台車の前方に位置する第１の脚部、前記台車の前方に位置する第２の脚部、前記台車の後方に位置する第３の脚部で前記台車に支持され、前記可搬式消防ポンプの前記ホ−スに接続されるホ−ス接続口、前記可搬式消防ポンプの前記吸水管に接続される吸水管接続口は、前記台車の背面側にあり、前記ホ−ス接続口は、少なくとも９０°回動可能なものであり、前記台車を後方より見て、水平方向に、前記吸水管収納部、前記ホ−ス接続口、前記吸水管接続口、前記第３の脚部の順で、それらが配置されているものである。
【０００４】
また、請求項２記載の消防機器運搬台車は、移動自在な台車と、この台車の可搬式消防ポンプ収納部に収納された可搬式消防ポンプと、前記台車に設けられ、前記可搬式消防ポンプ収納部の真上に位置し、ホ−スを収納するホ−ス収納部と、前記台車に設けられ、前記可搬式消防ポンプ収納部及び前記ホ−ス収納部より側方に位置し、略楕円形状に旋回された吸水管を縦長状に収納する吸水管収納部と、前記ホ−ス収納部は、前記台車の前方に位置する第１の脚部、前記台車の前方に位置する第２の脚部、前記台車の後方に位置する第３の脚部で前記台車に支持され、前記可搬式消防ポンプの前記ホ−スに接続されるホ−ス接続口、前記可搬式消防ポンプの前記吸水管に接続される吸水管接続口は、前記台車の背面側にあり、前記ホ−ス接続口は、少なくとも９０°回動可能なものであり、前記台車を後方より見て、水平方向に、前記吸水管収納部、前記ホ−ス接続口、前記吸水管接続口、前記第３の脚部の順で、それらが配置され、前記台車の車の上方に前記吸水管収納部が位置し、前記吸水管収納部に収納された前記吸水管が前記車に接触しないように、前記車の上方に前記吸水管と前記車が当接するのを防止する接触防止部材を設けるものである。
【０００６】
【実施例】
本発明の一実施例の消防機器運搬台車を図面を参照して説明する。
【０００７】
図１乃至図４において、１は消防機器運搬台車で、消防機器運搬台車１は、移動自在な台車２に、可搬式消防ポンプ３、ホ−ス４、吸水管５を搭載し、火災現場へ人力により運び、消火作業を行うものである。
【０００８】
移動自在な台車２は、概略的に、可搬式消防ポンプ３、ホ−ス４、吸水管５を搭載する本体を有し、この本体の前方（前面側）に車21、後方（背面側）に車22、23を有している。車21は梶棒６により左右方向に方向を変えることができるようになっている。
また、台車２の車23の上方に吸水管収納部Ａが位置し、この吸水管収納部Ａに収納された吸水管５が車23に接触しないように、車23の上方に接触防止部材７を設け、吸水管５と車23が当接するのを防止するようにしている。
【０００９】
また、Ｂは、台車２に設けられた可搬式消防ポンプ収納部で、この可搬式消防ポンプ収納部Ｂには、可搬式消防ポンプ３が収納されている。
Ｃは、台車２に設けられ、可搬式消防ポンプ収納部Ｂの真上に位置するホ−ス収納部で、このホ−ス収納部Ｃには、ホ−ス４が収納されている。
そして、ホ−ス収納部Ｃは、ホ−ス４を立設すると共に、並設して収納できるように、半円形状をなした部材Ｃ1 、Ｃ2 、Ｃ3 で形成され、台車２の前方（前面側）に位置する第１の脚部Ｋ1 、台車２の前方に位置する第２の脚部Ｋ2 、台車２の後方（背面側）に位置する第３の脚部Ｋ3 で台車２に支持されている。
【００１０】
なお、上述した吸水管収納部Ａは、台車２に設けられ、可搬式消防ポンプ収納部Ｂ及びホ−ス収納部Ｃより側方に位置し、略楕円形状に旋回された吸水管５を縦長状に立設状態で収納するようになっている。
吸水管収納部Ａは、具体的には、台車２の側方に近い側であって、台車２の略中央より立設する支持部材51の上部に、略楕円形状に旋回された吸水管５を支える係止部51Ｋを設けている。なお、略楕円形状に旋回された縦長状の吸水管５は、係止部51Ｋの他、係止部１Ｋ、２Ｋでも係止されている。
【００１１】
また、吸水管収納部Ａと反対側の台車２の側面には、図４に示すように、可搬式消防ポンプ３の操作系（例えば、メインスイッチ31’）を集中配置した部分が位置するようになっていて、操作し易くなっている。
【００１２】
従って、この実施例の消防機器運搬台車１によれば、略楕円形状に旋回された吸水管５の略楕円部を水平状態でなく縦長状に立設状態で台車２に収納できるため、消防機器運搬台車１が縦長形状となり、平面的な収納スペ−スを小さくでき、消防機器運搬台車１を倉庫（例えば、自主防災倉庫）内に効率良く収納することができる。
なお、この実施例の消防機器運搬台車１は縦長形状となり、垂直方向のスペ−スを取るが、倉庫（例えば、自主防災倉庫）においては、平面的なスペ−スに比べ、垂直方向のスペ−スは比較的余裕があるため、支障を生じない。
【００１３】
また、可搬式消防ポンプ３のホ−ス４に接続されるホ−ス接続口31、可搬式消防ポンプ３の吸水管５に接続される吸水管接続口32は、台車２の背面側（又は、台車２の後方を臨むように）に設けられている。そして、ホ−ス接続口31は、図４に示すように、回動可能（例えば、少なくとも９０°回動可能）なものである。［ホ−ス接続口31を有する水供給通路が回動可能（例えば、少なくとも９０°回動可能）なものとなっている。］
【００１４】
なお、台車２を後方（背面側）より見て、水平方向に順次、吸水管収納部Ａ、ホ−ス接続口31、吸水管接続口32、第３の脚部Ｋ3 で配置されている。
そのため、ホ−ス接続口31にホ−ス４を接続し、ホ−ス接続口31を回動させても脚部がないため、回動に支障がない。また、本実施例では、台車２を後方（背面側）より見て、水平方向に順次、吸水管収納部Ａ、ホ−ス接続口31、吸水管接続口32、第３の脚部Ｋ3 で配置されているが、本発明にあっては、台車２を後方（背面側）より見て、水平方向に順次、少なくとも、吸水管収納部Ａ、ホ−ス接続口31、第３の脚部Ｋ3 が配置されていれば良い。
【００１５】
【発明の効果】
請求項１記載の消防機器運搬台車によれば、略楕円形状に旋回された吸水管の略楕円部を水平状態でなく縦長状に台車に収納できるため、消防機器運搬台車が縦長形状となり、平面的な収納スペ−スを小さくでき、消防機器を搭載した消防機器運搬台車を倉庫内に効率良く収納することができ、ホ−ス接続口にホ−スを接続し、ホ−ス接続口を回動させても脚部がないため、回動に支障がない。
【００１６】
また、請求項２記載の消防機器運搬台車によれば、前述した請求項１記載の発明の効果に加え、台車の車の上に吸水管収納部を位置させて、台車の車の上方スペ−スを有効活用でき、しかも、台車の車の上に接触防止部材を設けて、吸水管が台車の車に接触しないようにしたため、消防機器運搬台車の移動に支障を生じない。
【図面の簡単な説明】
【図１】図１は、本発明の一実施例の消防機器運搬台車の概略的側面図である。
【図２】図２は、図１の消防機器運搬台車の概略的正面図である。
【図３】図３は、図１の消防機器運搬台車の使用状態の概略的断面図である。
【図４】図４は、図３のＸ−Ｘ線による概略的断面図である。
【符号の説明】
１  ・・・・・消防機器運搬台車
２  ・・・・・台車
３  ・・・・・可搬式消防ポンプ
４  ・・・・・ホ−ス
５  ・・・・・吸水管
Ａ  ・・・・・吸水管収納部
Ｂ  ・・・・・可搬式消防ポンプ収納部
Ｃ  ・・・・・ホ−ス収納部
【図１】
0004004246.tif 000002
【図２】
0004004246.tif 000003
【図３】
0004004246.tif 000004
【図４】
0004004246.tif 000005